(57)【要約】【課題】底面板から連なる外側面板に対して内側面板を折り返して隣接する側面板の延長部を包むようにして直立状態を保ち、天面板から連なる前面板の両側に設けられた小フラップを左右の外側面板と前側面板の左右の折曲片との隙間に差し込んで、天面板を閉状態とする包装箱で、天面板を開状態にするのを容易とする包装箱を提供する。【解決手段】右側面部４５には切欠部Ｋ１が形成され、左側面部５５には切欠部Ｋ２が形成されていて、上面部６０を閉じた状態とし、差込みフラップ７２を左側面部４５の右外側面部４０と正面側面部２０から連設された折曲げ片の隙間に差し込むとともに、差込みフラップ７４を左側面部５５の左外側面部と正面側面部２０から連設された折曲げ片の隙間に差し込んで、上面部６０を閉状態でロックし、上面部６０を開状態にするには、差込みフラップ７２、７４の切欠部Ｋ１、Ｋ２から露出した部分の辺部を押し操作する。【選択図】図１
2014177294.tif 000002
【特許請求の範囲】
【請求項１】
底面部（１０）と、底面部の正面側の辺部から連設された正面側面部（２０）と、正面側面部（２０）の右側面側の辺部から連設された第１折曲げ片（２２）と、正面側面部（２０）の左側面側の辺部から連設された第２折曲げ片（２４）と、底面部の右側面側の辺部から連設された右側面部で、底面部から連設された右外側面部（４０）と、右側面部の展開状態において右外側面部の底面部とは反対側に設けられた右内側面部（４４）とを有する右側面部（４５）と、底面部の左側面側の辺部から連設された左側面部で、底面部から連設された左外側面部（５０）と、左側面部の展開状態において左外側面部の底面部とは反対側に設けられた左内側面部（５４）とを有する左側面部（５５）と、
底面部の背面側の辺部から連設された背面側面部（３０）と、背面側面部（３０）の右側面側の辺部から連設された第３折曲げ片（３２）と、背面側面部（３０）の左側面側の辺部から連設された第４折曲げ片（３４）と、を有する箱本体（５Ａ）と、背面側面部の底面部とは反対側の辺部から連設された上面部（６０）と、上面部の背面側面部と反対側の辺部から連設された前フラップ（７０）と、前フラップの右側面側の辺部から連設された第１差込みフラップ（７２）と、前フラップの左側面側の辺部から連設された第２差込みフラップ（７４）と、を有し、正面側面部と背面側面部とを底面部に対して上向きに折り曲げ、第１折曲げ片と第２折曲げ片とを正面側面部に対して内側に折り曲げ、第３折曲げ片と第４折曲げ片とを背面側面部に対して内側に折り曲げ、右外側面部を底面部に対して上向きに折り曲げ、右内側面部を下向きに折り曲げて右外側面部と右内側面部とで第１折曲げ片と第３折曲げ片とを挟んだ状態とし、左外側面部を底面部に対して上向きに折り曲げ、左内側面部を下向きに折り曲げて左外側面部と左内側面部とで第２折曲げ片と第４折曲げ片とを挟んだ状態とすることにより箱本体を組立て状態とし、箱本体に上面部を被せることにより上面部を閉状態とし、第１差込みフラップを右外側面部と第１折曲げ片の隙間に差し込むとともに、第２差込みフラップを左外側面部と第２折曲げ片の隙間に差し込むことにより上面部を閉状態でロックする包装箱であって、
包装箱はシート状のブランクにより形成され、
第１差込みフラップは、右外側面部と第１折曲げ片の隙間に差し込んだ状態で右側面部内を回動可能な形状であるとともに、第２差込みフラップは、左外側面部と第２折曲げ片の隙間に差し込んだ状態で左側面部内を回動可能な形状であり、
右側面部の展開状態で、右外側面部から右内側面部に至る第１開口部（Ｋ１０）を形成することにより、組立て状態の箱本体の右側面部に右側面部の上端から第１切欠部（Ｋ１）が形成されるとともに、左側面部の展開状態で、左外側面部から左内側面部に至る第２開口部（Ｋ３０）を形成することにより、組立て状態の箱本体の左側面部に左側面部の上端から第２切欠部（Ｋ２）が形成され、
上面部が閉状態でロックされた状態で、第１差込みフラップが第１切欠部内に露出するとともに、第２差込みフラップが第２切欠部内に露出しており、第１差込みフラップの辺部を押し操作することにより第１差込みフラップが回動し、第２差込みフラップの辺部を押し操作することにより第２差込みフラップが回動して、前フラップの下端側が正面側に回動することを特徴とする包装箱。
【請求項２】
第１折曲げ片には、箱本体の組立て状態において第１折曲げ片が第１切欠部から露出しないように切欠部（Ｋ２０）が形成され、第２折曲げ片には、箱本体の組立て状態において第２折曲げ片が第２切欠部から露出しないように切欠部（Ｋ４０）が形成されていることを特徴とする請求項１に記載の包装箱。
【請求項３】
第１切欠部は、右側面部の上端から下方にいくに従い正面側に湾曲して形成され、第２切欠部は、左側面部の上端から下方にいくに従い正面側に湾曲して形成されていることを特徴とする請求項１又は２に記載の包装箱。
【請求項４】
第１差込みフラップは、第１差込みフラップと前フラップ間の第１折れ線（Ｓ３）における上面部側の端部から第１折れ線に対して直角をなす直線状の第１辺部（７２ｂ）と、第１折れ線の上面部とは反対側の端部と第１辺部の第１折れ線とは反対側の端部間に設けられた第２辺部で円弧状辺部（７２ｃ−１）を有する第２辺部（７２ｃ）とを有し、
第２差込みフラップは、第２差込みフラップと前フラップ間の第２折れ線（Ｓ４）における上面部側の端部から第２折れ線に対して直角をなす直線状の第３辺部（７４ｂ）と、第２折れ線の上面部とは反対側の端部と第３辺部の第２折れ線とは反対側の端部間に設けられた第４辺部で円弧状辺部（７４ｃ−１）を有する第４辺部（７４ｃ）とを有し、
第１辺部と第３辺部とが、上面部が閉状態でロックされた状態で前フラップの下端側を正面側に回動させる際に押し操作する辺部であることを特徴とする請求項１又は２又は３に記載の包装箱。
【請求項５】
第１折れ線は、前フラップにおける上面部とは反対側の辺部である先端辺部と接し、第２辺部は、先端辺部から連続して形成され、先端辺部の延長線上に形成される直線状の辺部で、第２辺部における円弧状辺部から連設された直線状の辺部（７２ｃ−２）を有し、
第２折れ線は、先端辺部と接し、第４辺部は、先端辺部から連続して形成され、先端辺部の延長線上に形成される直線状の辺部で、第４辺部における円弧状辺部から連設された直線状の辺部（７４ｃ−２）を有することを特徴とする請求項４に記載の包装箱。
【請求項６】
上面部の右側面側の辺部から連設された右フラップで、上面部を閉状態とした際に、右内側面部の内側の面に接し第１切欠部を内側からカバーする右フラップ（６２）と、上面部の左側面側の辺部から連設された左フラップで、上面部を閉状態とした際に、左内側面部の内側の面に接し第２切欠部を内側からカバーする左フラップ（６４）とが設けられていることを特徴とする請求項１又は２又は３又は４又は５に記載の包装箱。
【請求項７】
箱本体の組立て状態における右内側面部の下端と左内側面部の下端には、突出部が設けられ、底面部における右側面部側の端部位置には、右内側面部の下端に設けられた突出部が嵌合するためのスリットが設けられ、底面部における左側面側の端部位置には、左内側面部の下端に設けられた突出部が嵌合するためのスリットが設けられていることを特徴とする請求項１又は２又は３又は４又は５又は６に記載の包装箱。
【請求項８】
右側面部の展開状態において、右外側面部と右内側面部間に箱本体の組立て状態で右側面部の上端をなす第１帯状部（４２）が設けられ、第１帯状部が、第１開口部よりも正面側の第１正面側帯状部（４２−１）と、第１開口部よりも背面側の第１背面側帯状部（４２−２）を有し、第１開口部は、第１正面側帯状部と第１背面側帯状部の間の領域を含み、左側面部の展開状態において、左外側面部と左内側面部間に箱本体の組立て状態で左側面部の上端をなす第２帯状部（５２）が設けられ、第２帯状部が、第２開口部よりも正面側の第２正面側帯状部（５２−１）と、第２開口部よりも背面側の第２背面側帯状部（５２−２）を有し、第２開口部は、第２正面側帯状部と第２背面側帯状部の間の領域を含むことを特徴とする請求項１又は２又は３又は４又は５又は６又は７に記載の包装箱。
【請求項９】
右側面部において、右内側面部は、右外側面部の底面部とは反対側の辺部から連設され、左側面部において、左内側面部は、左外側面部の底面部とは反対側の辺部から連設されていることを特徴とする請求項１又は２又は３又は４又は５又は６又は７に記載の舗装箱。
【発明の詳細な説明】
【技術分野】
【０００１】
本発明は、包装箱に関するものであり、特に、底面板から連なる外側面板に対して内側面板を折り返して隣接する側面板から延長された折曲片を包むようにして直立状態を保つ包装箱に関するものである。
【背景技術】
【０００２】
従来より、底面板から連なる外側面板に対して内側面板を折り返して隣接する側面板から延長された折曲片を包むようにして直立状態を保つ包装箱として、特許文献１の従来例に示す個装箱が存在する。特許文献１の従来例に示す個装箱は、図１０〜図１３に示すように形成され、図１１に示すように、底面板１ａに連なる前後の側面板１ｂ，１ｃを上向きに折り曲げて、該側面板１ｂ，１ｃに連なる左右の折曲片１ｄ，１ｄ，１ｅ，１ｅを内向きに折り曲げ、底面板１ａに連なる左右の外側面板１ｆ，１ｇを上向きに折り曲げると共に、外側面板１ｆ，１ｇに連なる左右の内側面板１ｈ，１ｉを下向きに折り返して、左右の外側面板１ｆ，１ｇと左右の内側面板１ｈ，１ｉとで上記折曲片１ｄ，１ｄ，１ｅ，１ｅを挟み込むことにより、図１２に示すように、天面板１ｐが開いた箱体を形成し、天面板１ｐを前向きに折り曲げながら、天面板１ｐに連なって下向きに折り曲げられた左右のフラップ１ｑ，１ｒを、左右の内側面板１ｈ，１ｉの内側に差し込んで天面板１ｐで蓋をし、さらに、天面板１ｐに連なる前面板１ｓを下向きに折り曲げながら、左右の小フラップ１ｔ，１ｕを、左右の外側面板１ｆ，１ｇと前側面板１ｂの左右の折曲片１ｄ，１ｄとの隙間に差し込んで、図１３に示すように、天面板１ｐが開かないようにしたものである（特許文献１の段落［０００３］参照）。また、特許文献２においても同様の構成の梱包箱が開示されている。
【先行技術文献】
【特許文献】
【０００３】
【特許文献１】特開２００９−１２０２０７号公報
【特許文献２】特開２００６−１０３６８８号公報
【発明の概要】
【発明が解決しようとする課題】
【０００４】
しかし、図１０〜図１３に示す個装箱においては、左右の小フラップ１ｔ，１ｕを、左右の外側面板１ｆ，１ｇと前側面板１ｂの左右の折曲片１ｄ，１ｄとの隙間に差し込むことにより前面板１ｓが側面板１ｂに密着しているため、天面板１ｐを開状態とするために前面板１ｓを天面板１ｐに対して回動して開状態にしようとしても前面板１ｓと側面板１ｂとの間に隙間がないため前面板１ｓを開状態にするのが困難であった。
【０００５】
また、図１４に示すように、前面板１ｓに指を引っかけるための半円状の切欠部１ｓ−ａを設けたものも従来存在するが、前面板１ｓが側面板１ｂに密着しているため、切欠部に指を引っかけるのが困難であり、切欠部を設けたとしても依然として前面板１ｓを開状態にするのが困難であった。
【０００６】
そこで、本発明は、底面板から連なる外側面板に対して内側面板を折り返して隣接する側面板の延長部を包むようにして直立状態を保ち、天面板から連なる前面板の両側に設けられた小フラップを左右の外側面板と前側面板の左右の折曲片との隙間に差し込んで、天面板を閉状態とする包装箱で、天面板を開状態にするのを容易とする包装箱を提供することである。
【課題を解決するための手段】
【０００７】
本発明は上記問題点を解決するために創作されたものであって、第１には、底面部（１０）と、底面部の正面側の辺部から連設された正面側面部（２０）と、正面側面部（２０）の右側面側の辺部から連設された第１折曲げ片（２２）と、正面側面部（２０）の左側面側の辺部から連設された第２折曲げ片（２４）と、底面部の右側面側の辺部から連設された右側面部で、底面部から連設された右外側面部（４０）と、右側面部の展開状態において右外側面部の底面部とは反対側に設けられた右内側面部（４４）とを有する右側面部（４５）と、底面部の左側面側の辺部から連設された左側面部で、底面部から連設された左外側面部（５０）と、左側面部の展開状態において左外側面部の底面部とは反対側に設けられた左内側面部（５４）とを有する左側面部（５５）と、底面部の背面側の辺部から連設された背面側面部（３０）と、背面側面部（３０）の右側面側の辺部から連設された第３折曲げ片（３２）と、背面側面部（３０）の左側面側の辺部から連設された第４折曲げ片（３４）と、を有する箱本体（５Ａ）と、背面側面部の底面部とは反対側の辺部から連設された上面部（６０）と、上面部の背面側面部と反対側の辺部から連設された前フラップ（７０）と、前フラップの右側面側の辺部から連設された第１差込みフラップ（７２）と、前フラップの左側面側の辺部から連設された第２差込みフラップ（７４）と、を有し、正面側面部と背面側面部とを底面部に対して上向きに折り曲げ、第１折曲げ片と第２折曲げ片とを正面側面部に対して内側に折り曲げ、第３折曲げ片と第４折曲げ片とを背面側面部に対して内側に折り曲げ、右外側面部を底面部に対して上向きに折り曲げ、右内側面部を下向きに折り曲げて右外側面部と右内側面部とで第１折曲げ片と第３折曲げ片とを挟んだ状態とし、左外側面部を底面部に対して上向きに折り曲げ、左内側面部を下向きに折り曲げて左外側面部と左内側面部とで第２折曲げ片と第４折曲げ片とを挟んだ状態とすることにより箱本体を組立て状態とし、箱本体に上面部を被せることにより上面部を閉状態とし、第１差込みフラップを右外側面部と第１折曲げ片の隙間に差し込むとともに、第２差込みフラップを左外側面部と第２折曲げ片の隙間に差し込むことにより上面部を閉状態でロックする包装箱であって、包装箱はシート状のブランクにより形成され、第１差込みフラップは、右外側面部と第１折曲げ片の隙間に差し込んだ状態で右側面部内を回動可能な形状であるとともに、第２差込みフラップは、左外側面部と第２折曲げ片の隙間に差し込んだ状態で左側面部内を回動可能な形状であり、右側面部の展開状態で、右外側面部から右内側面部に至る第１開口部（Ｋ１０）を形成することにより、組立て状態の箱本体の右側面部に右側面部の上端から第１切欠部（Ｋ１）が形成されるとともに、左側面部の展開状態で、左外側面部から左内側面部に至る第２開口部（Ｋ３０）を形成することにより、組立て状態の箱本体の左側面部に左側面部の上端から第２切欠部（Ｋ２）が形成され、上面部が閉状態でロックされた状態で、第１差込みフラップが第１切欠部内に露出するとともに、第２差込みフラップが第２切欠部内に露出しており、第１差込みフラップの辺部を押し操作する（「第１差込みフラップにおける第１切欠部内に露出した部分の辺部を押し操作する」としてもよい）ことにより第１差込みフラップが回動し、第２差込みフラップを押し操作する（「第２差込みフラップにおける第２切欠部内に露出した部分の辺部を押し操作する」としてもよい）ことにより第２差込みフラップが回動して、前フラップの下端側が正面側に回動することを特徴とする。
【０００８】
第１の構成の包装箱によれば、上面部が閉状態でロックされている状態で、第１差込みフラップの辺部を押し操作することにより第１差込みフラップが回動し、第２差込みフラップの辺部を押し操作することにより第２差込みフラップが回動して、前フラップの下端側が上面部に対して正面側に回動するので、前フラップと正面側面部間に隙間が形成され、前フラップの下端に指をひっかけて前フラップを回動させることにより、第１差込みフラップを右外側面部と第１折曲げ片の隙間から抜き出すとともに、第２差込みフラップを左外側面部と第２折曲げ片の隙間から抜き出すことができ、上面部を容易に開状態にすることができる。
【０００９】
なお、上記第１の構成において、右側面部の展開状態で、第１開口部は左右対称であり、左側面部の展開状態で、第２開口部は左右対称であるとするのが好ましい。
【００１０】
なお、上記第１の構成を以下としてもよい。すなわち、「底面部（１０）と、底面部の正面側の辺部から連設された正面側面部（２０）と、正面側面部（２０）の右側面側の辺部から連設された第１折曲げ片（２２）と、正面側面部（２０）の左側面側の辺部から連設された第２折曲げ片（２４）と、底面部の右側面側の辺部から連設された右側面部で、底面部から連設された右外側面部（４０）と、右外側面部の底面部とは反対側の辺部から連設された第１帯状部（４２）と、帯状部の右外側面部とは反対側の辺部から連設された右内側面部（４４）とを有する右側面部（４５）と、底面部の左側面側の辺部から連設された左側面部で、底面部から連設された左外側面部（５０）と、左外側面部の底面部とは反対側の辺部から連設された第２帯状部（５２）と、第２帯状部の左外側面部とは反対側の辺部から連設された左内側面部（５４）とを有する左側面部（５５）と、底面部の背面側の辺部から連設された背面側面部（３０）と、背面側面部（３０）の右側面側の辺部から連設された第３折曲げ片（３２）と、背面側面部（３０）の左側面側の辺部から連設された第４折曲げ片（３４）と、を有する箱本体（５Ａ）と、背面側面部の底面部とは反対側の辺部から連設された上面部（６０）と、上面部の背面側面部と反対側の辺部から連設された前フラップ（７０）と、前フラップの右側面側の辺部から連設された第１差込みフラップ（７２）と、前フラップの左側面側の辺部から連設された第２差込みフラップ（７４）と、を有し、正面側面部と背面側面部とを底面部に対して上向きに折り曲げ、第１折曲げ片と第２折曲げ片とを正面側面部に対して内側に折り曲げ、第３折曲げ片と第４折曲げ片とを背面側面部に対して内側に折り曲げ、右外側面部を底面部に対して上向きに折り曲げ、第１帯状部を右外側面部に対して内側に折り曲げ、右内側面部を第１帯状部に対して下向きに折り曲げて右外側面部と右内側面部とで第１折曲げ片と第３折曲げ片とを挟んだ状態とし、左外側面部を底面部に対して上向きに折り曲げ、第２帯状部を左外側面部に対して内側に折り曲げ、左内側面部を第２帯状部に対して下向きに折り曲げて左外側面部と左内側面部とで第２折曲げ片と第４折曲げ片とを挟んだ状態とすることにより箱本体を組立て状態とし、箱本体に上面部を被せることにより上面部を閉状態とし、第１差込みフラップを右外側面部と第１折曲げ片の隙間に差し込むとともに、第２差込みフラップを左外側面部と第２折曲げ片の隙間に差し込むことにより上面部を閉状態でロックする包装箱であって、包装箱はシート状のブランクにより形成され、第１差込みフラップは、右外側面部と第１折曲げ片の隙間に差し込んだ状態で右側面部内を回動可能な形状であるとともに、第２差込みフラップは、左外側面部と第２折曲げ片の隙間に差し込んだ状態で左側面部内を回動可能な形状であり、右側面部の展開状態で、右外側面部から第１帯状部を経て右内側面部に至る第１開口部（Ｋ１０）を形成することにより、組立て状態の箱本体の右側面部に右側面部の上端から第１切欠部（Ｋ１）が形成されるとともに、左側面部の展開状態で、左外側面部から第２帯状部を経て左内側面部に至る第２開口部（Ｋ３０）を形成することにより、組立て状態の箱本体の左側面部に左側面部の上端から第２切欠部（Ｋ２）が形成され、上面部が閉状態でロックされた状態で、第１差込みフラップが第１切欠部内に露出するとともに、第２差込みフラップが第２切欠部内に露出しており、第１差込みフラップの辺部を押し操作する（「第１差込みフラップにおける第１切欠部内に露出した部分の辺部を押し操作する」としてもよい）ことにより第１差込みフラップが回動し、第２差込みフラップを押し操作する（「第２差込みフラップにおける第２切欠部内に露出した部分の辺部を押し操作する」としてもよい）ことにより第２差込みフラップが回動して、前フラップの下端側が正面側に回動することを特徴とする包装箱。」としてもよい。
【００１１】
また、上記第１の構成を以下としてもよい。すなわち、「底面部（１０）と、底面部の正面側の辺部から連設された正面側面部（２０）と、正面側面部（２０）の右側面側の辺部から連設された第１折曲げ片（２２）と、正面側面部（２０）の左側面側の辺部から連設された第２折曲げ片（２４）と、底面部の右側面側の辺部から連設された右側面部で、底面部から連設された右外側面部（４０）と、右外側面部の底面部とは反対側の辺部から連設された右内側面部（４４）とを有する右側面部（４５）と、底面部の左側面側の辺部から連設された左側面部で、底面部から連設された左外側面部（５０）と、左外側面部の底面部とは反対側の辺部から連設された左内側面部（５４）とを有する左側面部（５５）と、底面部の背面側の辺部から連設された背面側面部（３０）と、背面側面部（３０）の右側面側の辺部から連設された第３折曲げ片（３２）と、背面側面部（３０）の左側面側の辺部から連設された第４折曲げ片（３４）と、を有する箱本体（５Ａ）と、背面側面部の底面部とは反対側の辺部から連設された上面部（６０）と、上面部の背面側面部と反対側の辺部から連設された前フラップ（７０）と、前フラップの右側面側の辺部から連設された第１差込みフラップ（７２）と、前フラップの左側面側の辺部から連設された第２差込みフラップ（７４）と、を有し、正面側面部と背面側面部とを底面部に対して上向きに折り曲げ、第１折曲げ片と第２折曲げ片とを正面側面部に対して内側に折り曲げ、第３折曲げ片と第４折曲げ片とを背面側面部に対して内側に折り曲げ、右外側面部を底面部に対して上向きに折り曲げ、右内側面部を右外側面部に対して下向きに折り曲げて右外側面部と右内側面部とで第１折曲げ片と第３折曲げ片とを挟んだ状態とし、左外側面部を底面部に対して上向きに折り曲げ、左内側面部を左外側面部に対して下向きに折り曲げて左外側面部と左内側面部とで第２折曲げ片と第４折曲げ片とを挟んだ状態とすることにより箱本体を組立て状態とし、箱本体に上面部を被せることにより上面部を閉状態とし、第１差込みフラップを右外側面部と第１折曲げ片の隙間に差し込むとともに、第２差込みフラップを左外側面部と第２折曲げ片の隙間に差し込むことにより上面部を閉状態でロックする包装箱であって、包装箱はシート状のブランクにより形成され、第１差込みフラップは、右外側面部と第１折曲げ片の隙間に差し込んだ状態で右側面部内を回動可能な形状であるとともに、第２差込みフラップは、左外側面部と第２折曲げ片の隙間に差し込んだ状態で左側面部内を回動可能な形状であり、右側面部の展開状態で、右外側面部から右内側面部に至る第１開口部（Ｋ１０）を形成することにより、組立て状態の箱本体の右側面部に右側面部の上端から第１切欠部（Ｋ１）が形成されるとともに、左側面部の展開状態で、左外側面部から左内側面部に至る第２開口部（Ｋ３０）を形成することにより、組立て状態の箱本体の左側面部に左側面部の上端から第２切欠部（Ｋ２）が形成され、上面部が閉状態でロックされた状態で、第１差込みフラップが第１切欠部内に露出するとともに、第２差込みフラップが第２切欠部内に露出しており、第１差込みフラップの辺部を押し操作する（「第１差込みフラップにおける第１切欠部内に露出した部分の辺部を押し操作する」としてもよい）ことにより第１差込みフラップが回動し、第２差込みフラップを押し操作する（「第２差込みフラップにおける第２切欠部内に露出した部分の辺部を押し操作する」としてもよい）ことにより第２差込みフラップが回動して、前フラップの下端側が正面側に回動することを特徴とする包装箱。」としてもよい。
【００１２】
また、第２には、上記第１の構成において、第１折曲げ片には、箱本体の組立て状態において第１折曲げ片が第１切欠部から露出しないように切欠部（Ｋ２０）が形成され（「箱本体の組立て状態において上端から切欠部が形成され」としてもよい）、第２折曲げ片には、箱本体の組立て状態において第２折曲げ片が第２切欠部から露出しないように切欠部（Ｋ４０）が形成され（「箱本体の組立て状態において上端から切欠部が形成され」としてもよい）ていることを特徴とする。これにより、第１折曲げ片が第１切欠部内に露出して第１折曲げ片が邪魔になることがなく、また、第２折曲げ片が第２切欠部内に露出して第２折曲げ片が邪魔になることがない。
【００１３】
また、第３には、上記第１又は第２の構成において、第１切欠部は、右側面部の上端から下方にいくに従い正面側に湾曲して形成され、第２切欠部は、左側面部の上端から下方にいくに従い正面側に湾曲して形成されていることを特徴とする。よって、第１差込みフラップと第２差込みフラップを押し操作する際に、押し操作する指が第１切欠部や第２切欠部の縁部に接触しないようにすることができる。
【００１４】
なお、上記第３の構成を以下のようにしてもよい。すなわち、「上記第１又は第２の構成において、第１開口部は略同心円をなす一対の円弧状辺部と、一対の円弧状辺部の両側に設けられた直線状の辺部とにより略扇状に形成され、第１切欠部は、右側面部の上端から下方にいくに従い正面側に湾曲して形成された略扇状を呈し、第２開口部は略同心円をなす一対の円弧状辺部と、一対の円弧状辺部の両側に設けられた直線状の辺部とにより略扇状に形成され、第２切欠部は、左側面部の上端から下方にいくに従い正面側に湾曲して形成された略扇状を呈する。」としてもよい。
【００１５】
また、第４には、上記第１から第３までのいずれかの構成において、第１差込みフラップは、第１差込みフラップと前フラップ間の第１折れ線（Ｓ３）における上面部側の端部から第１折れ線に対して直角をなす直線状の第１辺部（７２ｂ）と、第１折れ線の上面部とは反対側の端部と第１辺部の第１折れ線とは反対側の端部間に設けられた第２辺部で円弧状辺部（７２ｃ−１）を有する第２辺部（７２ｃ）とを有し、
第２差込みフラップは、第２差込みフラップと前フラップ間の第２折れ線（Ｓ４）における上面部側の端部から第２折れ線に対して直角をなす直線状の第３辺部（７４ｂ）と、第２折れ線の上面部とは反対側の端部と第３辺部の第２折れ線とは反対側の端部間に設けられた第４辺部で円弧状辺部（７４ｃ−１）を有する第４辺部（７４ｃ）とを有し、
第１辺部と第３辺部とが、上面部が閉状態でロックされた状態で前フラップの下端側を正面側に回動させる際に押し操作する辺部であることを特徴とする。
【００１６】
これにより、第１差込みフラップは円弧状辺部を有しているので、右側面部内を回動しやすくすることができ、また、第２差込みフラップは円弧状辺部を有しているので、左側面部内を回動しやすくすることができる。
【００１７】
また、第５には、上記第４の構成において、第１折れ線は、前フラップにおける上面部とは反対側の辺部である先端辺部と接し、第２辺部は、先端辺部から連続して形成され、先端辺部の延長線上に形成される直線状の辺部で、第２辺部における円弧状辺部から連設された直線状の辺部（７２ｃ−２）を有し、
第２折れ線は、先端辺部と接し、第４辺部は、先端辺部から連続して形成され、先端辺部の延長線上に形成される直線状の辺部で、第４辺部における円弧状辺部から連設された直線状の辺部（７４ｃ−２）を有することを特徴とする。
【００１８】
よって、第１差込みフラップと第２差込みフラップは、先端辺部の延長線上に形成される直線状の辺部を有しているので、第１差込みフラップや第２差込みフラップを押し操作しない状態では、第１差込みフラップが右外側面部と第１折曲げ片の隙間が容易に外れることがなく、第２差込みフラップが左外側面部と第２折曲げ片の隙間から容易に外れることがない。
【００１９】
また、第６には、上記第１から第５までのいずれかの構成において、上面部の右側面側の辺部から連設された右フラップで、上面部を閉状態とした際に、右内側面部の内側の面に接し第１切欠部を内側からカバーする右フラップ（６２）と、上面部の左側面側の辺部から連設された左フラップで、上面部を閉状態とした際に、左内側面部の内側の面に接し第２切欠部を内側からカバーする左フラップ（６４）とが設けられていることを特徴とする。
【００２０】
よって、右フラップが右内側面部の内側の面に接した状態とするとともに左フラップが左内側面部の内側の面に接した状態で、上面部を閉状態とすることにより、第１差込みフラップを右外側面部と第１折曲げ片の隙間に差し込んでいない状態や第２差込みフラップを左外側面部と第２折曲げ片の隙間に差し込んでいない状態でも、第１切欠部や第２切欠部が外部に露出するのを防止することができる。
【００２１】
また、第７には、上記第１から第６までのいずれかの構成において、箱本体の組立て状態における右内側面部の下端と左内側面部の下端には、突出部が設けられ、底面部における右側面部側の端部位置には、右内側面部の下端に設けられた突出部が嵌合するためのスリットが設けられ、底面部における左側面側の端部位置には、左内側面部の下端に設けられた突出部が嵌合するためのスリットが設けられていることを特徴とする。
【００２２】
また、第８には、上記第１から第７までのいずれかの構成において、右側面部の展開状態において、右外側面部と右内側面部間に箱本体の組立て状態で右側面部の上端をなす第１帯状部（４２）が設けられ、第１帯状部が、第１開口部よりも正面側の第１正面側帯状部（４２−１）と、第１開口部よりも背面側の第１背面側帯状部（４２−２）を有し、第１開口部は、第１正面側帯状部と第１背面側帯状部の間の領域を含み、左側面部の展開状態において、左外側面部と左内側面部間に箱本体の組立て状態で左側面部の上端をなす第２帯状部（５２）が設けられ、第２帯状部が、第２開口部よりも正面側の第２正面側帯状部（５２−１）と、第２開口部よりも背面側の第２背面側帯状部（５２−２）を有し、第２開口部は、第２正面側帯状部と第２背面側帯状部の間の領域を含むことを特徴とする。
【００２３】
よって、右側面部には第１帯状部が設けられているので、第１差込みフラップを差し込むための右外側面部と第１折曲げ片の隙間を十分確保でき、左側面部には第２帯状部が設けられているので、第２差込みフラップを差し込むための左外側面部と第２折曲げ片の隙間を十分確保することができる。
【００２４】
また、第９には、上記第１から第７までのいずれかの構成において、右側面部において、右内側面部は、右外側面部の底面部とは反対側の辺部から連設され、左側面部において、左内側面部は、左外側面部の底面部とは反対側の辺部から連設されていることを特徴とする。
【発明の効果】
【００２５】
本発明に基づく包装箱によれば、上面部が閉状態でロックされている状態で、第１差込みフラップの辺部を押し操作することにより第１差込みフラップが回動し、第２差込みフラップの辺部を押し操作することにより第２差込みフラップが回動して、前フラップの下端側が上面部に対して正面側に回動するので、前フラップと正面側面部間に隙間が形成され、前フラップの下端に指をひっかけて前フラップを回動させることにより、第１差込みフラップを右外側面部と第１折曲げ片の隙間から抜き出すとともに、第２差込みフラップを左外側面部と第２折曲げ片の隙間から抜き出すことができ、上面部を容易に開状態にすることができる。
【図面の簡単な説明】
【００２６】
【図１】蓋部が開状態の場合の包装箱の右側面側からの前方斜視図である。
【図２】蓋部が開状態の場合の包装箱の左側面側からの前方斜視図である。
【図３】蓋部が開状態の場合の包装箱の後方斜視図である。
【図４】蓋部を閉状態でロックした場合の包装箱の前方斜視図である。
【図５】包装箱の展開図である。
【図６】図５の要部拡大図である。
【図７】包装箱の使用状態を示す前方斜視図である。
【図８】包装箱の使用状態を示す前方斜視図である。
【図９】包装箱の使用状態を示す下方斜視図である。
【図１０】従来例を示す展開図である。
【図１１】従来例における折上げ手順を説明する斜視図である。
【図１２】従来例における折上げ手順を説明する斜視図である。
【図１３】従来例における折上げ手順を説明する斜視図である。
【図１４】従来例の変形例を説明する斜視図である。
【発明を実施するための形態】
【００２７】
本発明においては、底面板から連なる外側面板に対して内側面板を折り返して隣接する側面板の延長部を包むようにして直立状態を保ち、天面板から連なる前面板の両側に設けられた小フラップを左右の外側面板と前側面板の左右の折曲片との隙間に差し込んで、天面板を閉状態とする包装箱で、天面板を開状態にするのを容易とする包装箱を提供するという目的を以下のようにして実現した。
【００２８】
本発明に基づく包装箱５は、図１〜図７に示すように構成され、底面部１０と、底面部１０の正面側の辺部から折れ線を介して連設された正面側面部２０と、正面側面部２０の右側面側の辺部から折れ線を介して連設された折曲げ片２２と、正面側面部２０の左側面側の辺部から折れ線を介して連設された折曲げ片２４と、底面部１０の背面側の辺部から折れ線を介して連設された背面側面部３０と、背面側面部３０の右側面側の辺部から折れ線を介して連設された折曲げ片３２と、背面側面部３０の左側面側の辺部から折れ線を介して連設された折曲げ片３４と、底面部１０の右側面側の辺部から折れ線を介して連設された右外側面部４０と、右外側面部４０の底面部１０とは反対側の辺部から折れ線を介して連設された帯状部４２と、帯状部４２の右外側面部４０とは反対側の辺部から折れ線を介して連設された右内側面部４４と、底面部１０の左側面側の辺部から折れ線を介して連設された左外側面部５０と、左外側面部５０の底面部１０とは反対側の辺部から折れ線を介して連設された帯状部５２と、帯状部５２の左外側面部５０とは反対側の辺部から折れ線を介して連設された左内側面部５４と、背面側面部３０の底面部１０とは反対側の辺部から折れ線Ｓ２を介して連設された上面部６０と、上面部６０の右側面側の辺部から折れ線を介して連設された右フラップ６２と、上面部６０の左側面側の辺部から折れ線を介して連設された左フラップ６４と、上面部６０の背面側面部３０とは反対側の辺部から折れ線Ｓ１を介して連設された前フラップ７０と、前フラップ７０の右側面側の辺部から折れ線を介して連設された差込みフラップ７２と、前フラップ７０の左側面側の辺部から折れ線を介して連設された差込みフラップ７４とを有し、包装箱５を組み立てた状態では、底面部１０と、正面側面部２０と、折曲げ片２２、２４と、背面側面部３０と、折曲げ片３２、３４と、右外側面部４０と、帯状部４２と、右内側面部４４と、左外側面部５０と、帯状部５２と、左内側面部５４とでトレー状の箱本体５Ａが構成され、上面部６０と、右フラップ６２と、左フラップ６４とで蓋部５Ｂが構成され、前フラップ７０と、差込みフラップ７２、７４とでロック機構部５Ｃが構成される。また、右外側面部４０と帯状部４２と右内側面部４４とで、箱本体５Ａの右側面部４５が構成され、左外側面部５０と帯状部５２と左内側面部５４とで、箱本体５Ａの左側面部５５が構成される。包装箱５は、１枚のシート状のブランク（具体的には、段ボール製（例えば、薄型段ボール製）のブランク）により形成されている。
【００２９】
ここで、底面部１０は、略方形状（略矩形状としてもよい）を呈し、方形状（具体的には、長方形状）の右側面側の辺部に沿ってスリット１２とスリット１４とが間隔を介して形成されるとともに、左側面側の辺部に沿ってスリット１６とスリット１８とが間隔を介して形成されている。つまり、底面部１０の右側面部４５側の端部位置にスリット１２、１４が設けられ、底面部１０の左側面部５５側の端部位置にスリット１６、１８が設けられている。すなわち、スリット１２、１４、１６、１８は、細長長方形状の開口部により形成され、底面部１０自体の形状としては、スリット１２、１４、１６、１８は、細長長方形状の切欠部により形成されている。箱本体５Ｂの組立て状態（包装箱５の組立て状態としてもよい）において、スリット１２には右内側面部４４の突出部４４−１が嵌合し、スリット１４には右内側面部４４の突出部４４−２が嵌合し、スリット１６には左内側面部５４の突出部５４−１が嵌合し、スリット１８には左内側面部５４の突出部５４−２が嵌合する。これにより、箱本体５Ａの組立て状態を強固にすることができる。
【００３０】
また、正面側面部２０は、長方形状を呈し、その左右方向の長さは底面部１０の左右方向の長さよりも若干短く形成されている。
【００３１】
また、折曲げ片（第１折曲げ片）２２は、箱本体５Ｂの組立て状態における縦方向の長さ（最大長さ）は正面側面部２０の縦方向の長さと同一に形成され、また、横方向の長さは、切欠部Ｋ２０を形成可能な長さに形成されている。また、折曲げ片２２の先端下側の角部は面取りされている。なお、折曲げ片２２の縦方向の長さは、箱本体５Ｂの組立て状態において、右外側面部４０と帯状部４２と右内側面部４４とにより囲まれた空間内に配置可能な長さとなっている。
【００３２】
ここで、切欠部Ｋ２０は、右外側面部４０の切欠部Ｋ１１や右内側面部４４の切欠部Ｋ１２に対応して扇状に形成され、折曲げ片２２の上辺から形成された円弧状の辺部２２ａと、辺部２２ａから連設された直線状の辺部２２ｂと、辺部２２ｂから連設された扇状の辺部２２ｃとにより形成され、辺部２２ａと辺部２２ｃとはともに同心円弧状（つまり、同心円の一部となる形状）（略同心円弧状としてもよい）となるように形成されている。なお、辺部２２ａと辺部２２ｂ間の角部や辺部２２ｂと辺部２２ｃ間の角部にはアールが形成されている。切欠部Ｋ２０の大きさは、箱本体５Ｂの組立て状態において右側面部４５に形成された切欠部Ｋ１（開口部Ｋ１０により形成された切欠部）内に露出しないように、切欠部Ｋ１１や切欠部Ｋ１２よりも大きく形成され、辺部２２ａと辺部２２ｃ間の長さＬ１は、右外側面部４０の切欠部Ｋ１１における辺部４０ａと辺部４０ｃ間の長さＬ２や右内側面部４４の切欠部Ｋ１２における辺部４４ａと辺部４４ｃ間の長さＬ３よりも長く形成されている。これにより、折曲げ片２２が切欠部Ｋ１内に露出して折曲げ片２２が邪魔になることがない。
【００３３】
また、折曲げ片（第２折曲げ片）２４は、折曲げ片２２と対称に形成されている。すなわち、折曲げ片２４は、包装箱５の展開状態においては、折曲げ片２２と線対称に形成され、箱本体５Ｂの組立て状態においては、前後方向の仮想上の中心面を介して対称に形成されている。すなわち、折曲げ片２４の縦方向の長さ（最大長さ）は正面側面部２０の縦方向の長さと同一に形成され、また、横方向の長さは、切欠部Ｋ４０を形成可能な長さに形成されている。
【００３４】
また、切欠部Ｋ４０は、折曲げ片２２の切欠部Ｋ２０と対称に形成され、切欠部Ｋ４０の大きさは、箱本体５Ｂの組立て状態において左側面部５５に形成された切欠部Ｋ２（開口部Ｋ３０により形成された切欠部）内に露出しないように、切欠部Ｋ３１や切欠部Ｋ３２よりも大きく形成されている。これにより、折曲げ片２４が切欠部Ｋ２内に露出して折曲げ片２４が邪魔になることがない。
【００３５】
また、背面側面部３０は、長方形状を呈し、正面側面部２０と対称に形成されている。すなわち、箱本体５Ｂの組立て状態における縦方向の長さは、正面側面部２０の縦方向の長さと同一に形成され、その左右方向の長さは、正面側面部２０の左右方向の長さと同一に形成され、底面部１０の左右方向の長さよりも若干短く形成されている。
【００３６】
また、折曲げ片（第３折曲げ片）３２は、方形状（具体的には略正方形状）に形成され、箱本体５Ｂの組立て状態における縦方向の長さは、背面側面部３０の縦方向の長さと略同一に形成され、箱本体５Ｂの組立て状態において、右外側面部４０と帯状部４２と右内側面部４４より囲まれた空間内に配置可能な長さとなっている。また、折曲げ片（第４折曲げ片）３４は、折曲げ片３２と対称に形成されている。
【００３７】
また、右外側面部４０は、略長方形状を呈し、扇状の切欠部を形成した長方形状を呈している。すなわち、箱本体５Ｂの組立て状態において右外側面部４０の上辺における正面側の位置に切欠部Ｋ１１が形成されている。この切欠部Ｋ１１は、扇状を呈し、右外側面部４０の上辺から正面側斜め下方（つまり、底面側にいくほど正面側となる方向）に湾曲した円弧状の辺部４０ａと、辺部４０ａにおける右外側面部４０の上辺側の端部とは反対側の端部から連設され、背面側斜め下方（つまり、底面側にいくほど背面側となる方向）に直線状に形成された辺部４０ｂと、辺部４０ｂの辺部４０ａとは反対側の端部から連設され、背面側斜め上方（つまり、上面側にいくほど背面側となる方向）に湾曲した円弧状の辺部４０ｃとにより形成され、辺部４０ａと辺部４０ｃとはともに同心円弧状（略同心円弧状としてもよい）となるように形成されている。なお、辺部４０ａと辺部４０ｂ間の角部や辺部４０ｂと辺部４０ｃ間の角部にはアールが形成されている。なお、辺部４０ａと辺部４０ｃの円弧形状における中心位置は、上面部６０を箱本体５Ａに対して閉状態にして差込みフラップ７２を被差込み部４７に差し込んだ状態で差込みフラップ７２が回動する回動中心の位置（つまり、折れ線Ｓ１の位置）となるように形成されている。また、辺部４０ａと辺部４０ｃは円弧状であるが、背面側斜め下方に向けて膨出した円弧状を呈している。
【００３８】
また、帯状部（第１帯状部）４２は、正面側帯状部（第１正面側帯状部）４２−１と背面側帯状部（第１背面側帯状部）４２−２とを有している。つまり、右側面部４５に切欠部Ｋ１が形成されているので、切欠部Ｋ１の領域には帯状部は形成されておらず、切欠部Ｋ１よりも正面側の正面側帯状部４２−１と切欠部Ｋ１よりも背面側の背面側帯状部４２−２とに分かれて形成されている。
【００３９】
ここで、正面側帯状部４２−１は、右外側面部４０側の辺部と、右内側面部４４側の辺部と、正面側の辺部４２−１ａと、背面側の辺部４２−１ｂとで囲まれて形成され、右外側面部４０側の辺部と右内側面部４４側の辺部とは互いに平行に形成され、正面側の辺部４２−１ａは、右内側面部４４の前後方向の長さが右外側面部４０の前後方向の長さよりも短く形成されているため、右外側面部４０側から右内側面部４４側に向けて背面側に傾斜した直線状を呈する。辺部４２−１ｂは略円弧状となっている。
【００４０】
また、背面側帯状部４２−２は、右外側面部４０側の辺部と、右内側面部４４側の辺部と、正面側の辺部４２−２ａと、背面側の辺部４２−２ｂとで囲まれて形成され、右外側面部４０側の辺部と右内側面部４４側の辺部とは互いに平行に形成され、背面側の辺部４２−２ｂは、右内側面部４４の前後方向の長さが右外側面部４０の前後方向の長さよりも短く形成されているため、右外側面部４０側から右内側面部４４側に向けて正面側に傾斜した直線状を呈する。辺部４２−２ａは略円弧状となっている。
【００４１】
また、右内側面部４４は、略長方形状を呈し、扇状の切欠部を形成するとともに２つの台形状の突出部４４−１、４４−２を形成した長方形状を呈している。すなわち、箱本体５Ｂの組立て状態において右内側面部４４の上辺における正面側の位置に切欠部Ｋ１２が形成されている。
【００４２】
この切欠部Ｋ１２は、扇状を呈し、切欠部Ｋ１１と対称に形成されている。すなわち、切欠部Ｋ１２は、包装箱５の展開状態においては、切欠部Ｋ１１と線対称に形成され、箱本体５Ｂの組立て状態においては、前後方向の仮想上の中心面を介して対称に形成されている。つまり、切欠部Ｋ１２は、右内側面部４４の上辺から正面側斜め下方（つまり、底面側にいくほど正面側となる方向）に湾曲した円弧状の辺部４４ａと、辺部４４ａにおける右内側面部４４の上辺側の端部とは反対側の端部から連設され、背面側斜め下方（つまり、底面側にいくほど背面側となる方向）に直線状に形成された辺部４４ｂと、辺部４４ｂの辺部４４ａとは反対側の端部から連設され、背面側斜め上方（つまり、上面側にいくほど背面側となる方向）に湾曲した円弧状の辺部４４ｃとにより形成され、辺部４４ａと辺部４４ｃとはともに同心円弧状（略同心円弧状としてもよい）となるように形成されている。辺部４４ａと辺部４４ｃの円弧形状における中心位置は、上面部６０を箱本体５Ａに対して閉状態にして差込みフラップ７２を被差込み部４７に差し込んだ状態で差込みフラップ７２が回動する回動中心の位置（つまり、折れ線Ｓ１の位置）となるように形成されている。また、辺部４４ａと辺部４４ｃは円弧状であるが、背面側斜め下方に向けて膨出した円弧状を呈している。
【００４３】
また、突出部４４−１と突出部４４−２とは、右内側面部４４における下端（すなわち、帯状部４２側とは反対側の辺部）に形成され、互いに間隔を介して形成されている。
【００４４】
右外側面部４０と帯状部４２と右内側面部４４とは上記のように形成されているので、包装箱５の展開状態においては、扇状の開口部（第１開口部）Ｋ１０が形成され、この開口部Ｋ１０は、切欠部Ｋ１１と、切欠部Ｋ１２と、正面側帯状部４２−１と背面側帯状部４２−２間の領域とで構成される。開口部Ｋ１０における正面側の辺部は、辺部４０ａと辺部４２−１ｂと辺部４４ａとで全体に円弧状に形成され、開口部Ｋ１０における背面側の辺部は、辺部４０ｃと辺部４２−２ａと辺部４４ｃとで全体に円弧状に形成されている。開口部Ｋ１０は、以上のように形成され、左右対称に形成されている。
【００４５】
なお、切欠部Ｋ１１の扇形状がなす中心角α１（正面側帯状部４２−１の右外側面部４０側の辺部の方向と辺部４０ｂの方向とがなす角度）や切欠部Ｋ１２の扇形状がなす中心角α２（正面側帯状部４２−１の右内側面部４４側の辺部の方向と辺部４４ｂの方向とがなす角度）は、蓋部５Ｂが閉状態でロックされた状態で蓋部５Ｂを開状態とする際に、差込みフラップ７２の辺部７２ｂを押して差込みフラップ７２が回動し、前フラップ７０と正面側面部２０との間に指を掛止することができるのに十分な角度であり、例えば、２５〜４５度に形成されている。
【００４６】
また、開口部Ｋ１０の背面側の端部（すなわち、辺部４２−２ａ）の位置は、差込み片部７２を被差込み部４７に差し込んで辺部７２ｂが水平方向とした際に、辺部７２ｂにおける差込みフラップ７２の先端側の領域（前フラップ７０側とは反対側の領域）が切欠部Ｋ１から露出する位置とするのが好ましく、差込みフラップ７２の辺部７２ｃが切欠部Ｋ１から露出しない位置とするのが好ましい。
【００４７】
以上のように、右側面部４５の展開状態において、右内側面部４４は、右外側面部４０の底面部１０とは反対側に設けられている。
【００４８】
また、左外側面部５０は、略長方形状を呈し、扇状の切欠部を形成した長方形状を呈している。すなわち、箱本体５Ｂの組立て状態において左外側面部５０の上辺における正面側の位置に切欠部Ｋ３１が形成されている。左外側面部５０は右外側面部４０と対称に形成され、切欠部Ｋ３１は、切欠部Ｋ１１と対称に形成されている。左外側面部５０が右外側面部４０と対称に形成されている点以外は同一の構成であるので、詳しい説明を省略する。
【００４９】
また、帯状部（第２帯状部）５２は、正面側帯状部（第２正面側帯状部）５２−１と背面側帯状部（第２背面側帯状部）５２−２とを有している。つまり、左側面部５５に切欠部Ｋ２が形成されているので、切欠部Ｋ２の領域には帯状部は形成されておらず、切欠部Ｋ２よりも正面側の正面側帯状部５２−１と切欠部Ｋ２よりも背面側の背面側帯状部５２−２とに分かれて形成されている。帯状部５２は帯状部４２と対称に形成され、正面側帯状部５２−１は正面側帯状部４２−１と対称に形成され、背面側帯状部５２−２は背面側帯状部４２−２と対称に形成されている。帯状部５２が帯状部４２と対称に形成されている点以外は同一の構成であるので、詳しい説明を省略する。
【００５０】
また、左内側面部５４は、略長方形状を呈し、扇状の切欠部を形成するとともに２つの台形状の突出部５４−１、５４−２を形成した長方形状を呈している。すなわち、箱本体５Ｂの組立て状態において左内側面部５４の上辺における正面側の位置に切欠部Ｋ３２が形成されている。左内側面部５４は右内側面部４４と対称に形成され、切欠部Ｋ３２は、切欠部Ｋ１２と対称に形成され、突出部５４−１は突出部４４−１と対称に形成され、突出部５４−２は突出部４４−２と対称に形成されている。左内側面部５４が右内側面部４４と対称に形成されている点以外は同一の構成であるので、詳しい説明を省略する。
【００５１】
また、左外側面部５０と帯状部５２と左内側面部５４とは上記のように形成されているので、包装箱５の展開状態においては、扇状の開口部（第２開口部）Ｋ３０が形成され、この開口部Ｋ３０は、切欠部Ｋ３１と、切欠部Ｋ３２と、正面側帯状部５２−１と背面側帯状部５２−２間の領域とで構成される。開口部Ｋ３０の構成は、包装箱５の展開状態において、開口部Ｋ１０と対称である以外は同一の構成であるので、詳しい説明を省略する。
【００５２】
なお、開口部Ｋ１０により切欠部Ｋ１が形成されるが、切欠部Ｋ１の形成位置は、包装箱５において差込みフラップ７２により被差込み部４７に差し込んで蓋部５Ｂを閉状態でロックした際に、差込みフラップ７２が切欠部Ｋ１に露出する位置となっており、また、開口部Ｋ３０により切欠部Ｋ２が形成されるが、切欠部Ｋ２の形成位置は、包装箱５において差込みフラップ７４により被差込み部５７に差し込んで蓋部５Ｂを閉状態でロックした際に、差込みフラップ７４が切欠部Ｋ２内に露出する位置となっている。
【００５３】
また、左側面部５５の展開状態において、左内側面部５４は、左外側面部５０の底面部１０とは反対側に設けられている。
【００５４】
なお、底面部１０に設けられたスリットは、底面部１０の左右両側に２つずつとし、右内側面部４４と左内側面部５４に設けられた突出部も２つずつであるとしたが、スリットの数を底面部１０の左右両側にそれぞれ３つ以上としてもよく、また、底面部１０の左右両側にそれぞれ１つとしてもよい。その場合には、突出部の数は、スリットの数に対応した数となる。
【００５５】
また、上面部６０は、方形状（矩形状としてもよい、具体的には、長方形状）を呈し、その左右方向の長さは、背面側面部３０の左右方向の長さよりも若干短く形成され、背面側面部３０側の辺部と前フラップ７０側の辺部７０ａ間の長さは、包装箱５をロック機構部５Ｃによりロックした状態では前フラップ７０が正面側面部２０の正面側となるので、底面部１０の前後方向の長さよりも若干長く形成されている。
【００５６】
また、右フラップ６２は、先端側にいくほど幅狭となる略台形形状を呈し、上面部６０側の辺部と先端側の辺部間の長さは、上面部６０を箱本体５Ａに対して閉じた状態で、先端側の辺部が底面部１０に接触する長さ又は該長さよりも短い長さに形成されている。
【００５７】
また、左フラップ６４は、右フラップ６２と対称に形成されている。左フラップ６４が右フラップ６２と対称に形成されている点以外は同一の構成であるので詳しい説明を省略する。
【００５８】
また、前フラップ７０は、長方形状を呈し、その左右方向の長さ（長辺方向の長さ）は、正面側面部２０の左右方向の長さと略同一に（厳密には若干長く）形成され、短辺方向の長さは、正面側面部２０の縦方向の長さと略同一に形成されている。
【００５９】
また、差込みフラップ７２は、略四分の一円形状を呈し、前フラップ７０間の折れ線（第１折れ線）Ｓ３に沿った直線状の辺部７２ａ（辺部７２ａと折れ線Ｓ３とは一致している）と、辺部７２ａから連設され、辺部７０ａの延長線上に設けられた直線状の辺部（第１辺部）７２ｂと、辺部７２ｂの辺部７２ａ側とは反対側の端部と辺部７２ａの辺部７２ｂとは反対側の端部間に設けられた辺部（第２辺部）７２ｃとにより囲まれた形状を呈している。辺部７２ｃは、辺部７２ｂの辺部７２ａ側とは反対側の端部から連設された円弧状の辺部７２ｃ−１と、辺部７２ｃ−１の辺部７２ｂとは反対側の端部と辺部７２ａ間に設けられ、前フラップ７０の先端側の辺部（先端辺部）７０ｂの延長線上に設けられた直線状の辺部７２ｃ−２を有している。折れ線Ｓ３は、前フラップ７０の先端側において、辺部７０ｂと接している。
【００６０】
また、差込みフラップ７４は、略四分の一円形状を呈していて、差込みフラップ７２と対称に形成されている。差込みフラップ７４は差込みフラップ７２と対称である点以外は同一の構成である。すなわち、差込みフラップ７４は、略四分の一円形状を呈し、前フラップ７０間の折れ線（第２折れ線）Ｓ４に沿った直線状の辺部７４ａ（辺部７４ａと折れ線Ｓ４とは一致している）と、辺部７４ａから連設され、辺部７０ａの延長線上に設けられた直線状の辺部（第３辺部）７４ｂと、辺部７４ｂの辺部７４ａ側とは反対側の端部と辺部７４ａの辺部７４ｂとは反対側の端部間に設けられた辺部（第４辺部）７４ｃとにより囲まれた形状を呈している。辺部７４ｃは、辺部７４ｂの辺部７４ａ側とは反対側の端部から連設された円弧状の辺部７４ｃ−１と、辺部７４ｃ−１の辺部７４ｂとは反対側の端部と辺部７４ａ間に設けられ、前フラップ７０の先端側の辺部７０ｂの延長線上に設けられた直線状の辺部７４ｃ−２を有している。折れ線Ｓ４は、前フラップ７０の先端側において、辺部７０ｂと接している。
【００６１】
差込みフラップ７２は円弧状の辺部７２ｃを有しているので、右側面部４５内を回動しやすい形状となっており、また、差込みフラップ７４は円弧状の辺部７４ｃを有しているので、左側面部５５内を回動しやすい形状となっている。
【００６２】
包装箱５の展開状態において、底面部１０の正面側の辺部と、底面部１０の背面側の辺部と、正面側面部２０の底面部１０とは反対側の辺部と、背面側面部３０の底面部１０とは反対側の辺部と、上面部６０の背面フラップ３０とは反対側の辺部（折れ線Ｓ１に沿った辺部）と、前フラップ７０の辺部７０ａとは、互いに平行であり、Ｘ１−Ｘ２方向に形成されている。また、底面部１０の左右両側の辺部と、右外側面部４０の底面部１０とは反対側の辺部と、帯状部４２の右外側面部４０とは反対側の辺部と、右内側面部４４の帯状部４２とは反対側の辺部で突出部４４−１、４４−２を除く辺部と、左外側面部５０の底面部１０とは反対側の辺部と、帯状部５２の左外側面部５０とは反対側の辺部と、左内側面部５４の帯状部５２とは反対側の辺部で突出部５４−１、５４−２を除く辺部とは互いに平行であり、Ｙ１−Ｙ２方向に形成されている。また、正面側面部２０の左右両側の辺部は互いに平行であり、Ｙ１−Ｙ２方向に形成されている。また、背面側面部３０の左右両側の辺部は互いに平行であり、Ｙ１−Ｙ２方向に形成されている。また、上面部６０の左右両側の辺部は互いに平行であり、Ｙ１−Ｙ２方向に形成されている。また、前フラップ７０の左右両側の辺部は互いに平行であり、Ｙ１−Ｙ２方向に形成されている。なお、展開状態を示す図５において、Ｘ１−Ｘ２方向とＹ１−Ｙ２方向は互いに直角となっている。
【００６３】
包装箱５を組み立てた状態、すなわち、箱本体５Ａを組み立てた状態では、正面側面部２０と背面側面部３０とを底面部１０に対して上向きに直角に折り曲げ、折曲げ片２２、２４を正面側面部２０に対して内向きに折り曲げるとともに、折曲げ片３２、３４を背面側面部３０に対して内向きに折り曲げ、さらに、右外側面部４０を底面部１０に対して上向きに直角に折り曲げ、帯状部４２を右外側面部４０に対して内向きに直角に折り曲げ、右内側面部４４を帯状部４２に対して下向きに折り曲げて、右外側面部４０と右内側面部４４により折曲げ片２２、３２を挟んだ状態で、突出部４４−１をスリット１２に嵌合させるとともに突出部４４−２をスリット１４に嵌合させ、左外側面部５０を底面部１０に対して上向きに直角に折り曲げ、帯状部５２を左外側面部５０に対して内向きに直角に折り曲げ、左内側面部５４を帯状部５２に対して下向きに折り曲げて、左外側面部５０と左内側面部５４により折曲げ片２４、３４を挟んだ状態で、突出部５４−１をスリット１６に嵌合させるとともに突出部５４−２をスリット１８に嵌合させることにより、図１、図２に示す構成となる。
【００６４】
また、箱本体５Ａを組み立てた状態では、右側面部４５の正面側に差込みフラップ７２を差し込むための被差込み部４７が設けられている。すなわち、被差込み部４７は、右外側面部４０と帯状部４２と右内側面部４４とで囲まれた空間により形成され、特に、該空間における正面側の部分で、右外側面部４０と折曲げ片２２との間の隙間により形成される。同様に、左側面部５５の正面側に差込みフラップ７４を差し込むための被差込み部５７が設けられている。すなわち、被差込み部５７は、左外側面部５０と帯状部５２と左内側面部５４とで囲まれた空間により形成され、特に、該空間における正面側の部分で、左外側面部５０と折曲げ片２４との間の隙間により形成される。
【００６５】
箱本体５Ａを組み立てた状態では、右側面部４５には切欠部（第１切欠部）Ｋ１が形成され、左側面部５５には切欠部（第２切欠部）Ｋ２が形成される。右側面部４５に設けられた切欠部Ｋ１は、開口部Ｋ１０により形成され（つまり、右外側面部４０の切欠部Ｋ１１と、右内側面部４４の切欠部Ｋ１２と、切欠部Ｋ１１と切欠部Ｋ１２の間の空間（つまり、切欠部Ｋ１１から切欠部Ｋ１２までの空間）により切欠部Ｋ１が形成されている）、左側面部５５に設けられた切欠部Ｋ２は、開口部Ｋ３０により形成される（つまり、左外側面部５０の切欠部Ｋ３１と、左内側面部５４の切欠部Ｋ３２と、切欠部Ｋ３１と切欠部Ｋ３２の間の空間（つまり、切欠部Ｋ３１から切欠部Ｋ３２までの空間）により切欠部Ｋ２が形成されている）。つまり、切欠部Ｋ１は扇状を呈し、具体的には、右側面部４５の上端から下方にいくに従い正面側に湾曲する扇状を呈している。同様に、切欠部Ｋ２は扇状を呈し、具体的には、左側面部５５の上端から下方にいくに従い正面側に湾曲する扇状を呈している。なお、折曲げ片２２は、切欠部Ｋ２０が切欠部Ｋ１１や切欠部Ｋ１２よりも大きく形成されているので、切欠部Ｋ１内に露出することはなく、また、折曲げ片２４は、切欠部Ｋ４０が切欠部Ｋ３１や切欠部Ｋ３２よりも大きく形成されているので、切欠部Ｋ２内に露出することはない。
【００６６】
なお、包装箱５は、図５に示す展開状態においては、左右対称に形成されている。
【００６７】
上記構成の包装箱５の使用状態について説明する。蓋部５Ｂを箱本体５Ａに対して開けた状態では、図１〜図３に示すように、上面部６０が箱本体５Ａの開口に対して開いた状態となる。具体的には、上面部６０は、背面側面部３０に対して背面側に斜めに傾斜した状態となる。
【００６８】
次に、蓋部５Ｂを閉状態でロックするには、まず、右フラップ６２と左フラップ６４とが上面部６０に対して内側（箱本体５Ａ側）に折り曲げた状態で、上面部６０を箱本体５Ａ側に回動させ、上面部６０を箱本体５Ａに上面部６０を被せて（つまり、箱本体５Ａにおける正面側面部２０と右側面部４５と左側面部５５と背面側面部３０に囲まれた開口に上面部６０を被せる）上面部６０を閉じた状態（閉状態）とするとともに、右フラップ６２と左フラップ６４とを箱本体５Ａ内に収納した状態として、図７に示す状態とする。つまり、この状態では、右フラップ６２は、右内側面部４４の内側の面に接し、左フラップ６４は、左内側面部５４の内側の面に接している。また、上面部６０は、底面部１０と平行になっている。
【００６９】
次に、差込みフラップ７２を被差込み部４７に対向させて、辺部７２ｂ側の端部を被差込み部４７に挿入するとともに、差込みフラップ７４を被差込み部５７に対向させて、辺部７４ｂ側の端部を被差込み部５７に挿入して、図８に示す状態とする。この状態では、前フラップ７０は、その下端が正面側となるように傾斜している。
【００７０】
次に、前フラップ７０の両側の端部を箱本体５Ａ側に押し込んで、差込みフラップ７２を被差込み部４７内に挿入する（つまり、差込みフラップ７２を右外側面部４０と折曲げ片２２の隙間に差し込む）とともに、差込みフラップ７４を被差込み部５７内に挿入する（つまり、差込みフラップ７４を左外側面部５０と折曲げ片２４の隙間に差し込む）。すると、前フラップ７０が上面部６０に対して回動し、差込みフラップ７２は被差込み部４７内に折れ線Ｓ１（上面部６０と前フラップ７０間の折れ線）に沿った回動軸を中心に回動して挿入されるとともに、差込みフラップ７４は被差込み部５７内に折れ線Ｓ１に沿った回動軸を中心に回動して挿入される。
【００７１】
そして、前フラップ７０が正面側面部２０と平行に正面側面部２０と接した状態とする（つまり、差込みフラップ７２、７４が被差込み部４７、５７に最も深く挿入された状態とする）ことにより、蓋部５Ｂが閉状態でロックされる。前フラップ７０が正面側面部２０と平行に正面側面部２０と接した状態とした際には、差込みフラップ７２の辺部７２ｂや差込みフラップ７４の辺部７４ｂは水平方向（帯状部４２、５２の方向と平行な方向）となる。
【００７２】
なお、差込みフラップ７２は、直線状の辺部７２ｄを有し、差込みフラップ７４は、直線状の辺部７４ｄを有しているので、蓋部５Ｂが閉状態でロックされた状態では、辺部７２ｄが被差込み部４７内の下端に嵌合し、辺部７４ｄが被差込み部５７内の下端に嵌合するので、後述するように、差込みフラップ７２、７４を押し操作しない状態では、差込みフラップ７２、７４が被差込み部４７、５７から容易に外れることがない。
【００７３】
次に、蓋部５Ｂを開状態にするには、蓋部５Ｂを閉状態でロックされた状態では、切欠部Ｋ１内に差込みフラップ７２の一部が露出し、切欠部Ｋ２内に差込みフラップ７４の一部が露出しているので、差込みフラップ７２の上端部分（つまり、辺部７２ｂ）を下方に押すとともに、差込みフラップ７４の上端部分（つまり、辺部７４ｂ）を下方に押す。つまり、差込みフラップ７２における切欠部Ｋ１内に露出した部分の辺部７２ｂを押し操作するとともに、差込みフラップ７４における切欠部Ｋ２内に露出した部分の辺部７４ｂを押し操作する。
【００７４】
すると、図９に示すように、差込みフラップ７２、７４が回動する（つまり、差込み片部７２の辺部７２ｂを押し操作することにより差込みフラップ７２が回動し、差込み片部７４の辺部７４ｂを押し操作することにより差込みフラップ７２が回動する）とともに、前フラップ７０が上面部６０に対して折れ線Ｓ１を中心に回動する（つまり、前フラップ７０の下端が正面側に回動する）。これにより、図９に示すように、前フラップ７０の下端と正面側面部２０との間に隙間が形成されるので、前フラップ７０の下端に指を掛止して前フラップ７０を正面側に回動させることにより、差込みフラップ７２を被差込み部４７から抜くとともに差込みフラップ７４を被差込み部５７から抜くことができる。つまり、差込みフラップ７２、７４の被差込み部４７、５７への差込み状態を解除する。
【００７５】
なお、蓋部５Ｂが閉状態でロックされた状態（図４の状態）では、右内側面部４４に切欠部Ｋ１２が形成されるとともに、折曲げ片２２に切欠部Ｋ２０が形成されているので、差込みフラップ７２における切欠部Ｋ１内に露出した部分と右フラップ６２間には間隔が形成され（つまり、差込みフラップ７２の左側面側の面と右フラップ６２の右側面側の面との間に間隔が形成される）、差込みフラップ７２を指で押す際に押し操作が容易となる。同様に、蓋部５Ｂが閉状態でロックされた状態（図４の状態）では、左内側面部５４に切欠部Ｋ３２が形成されるとともに、折曲げ片２４に切欠部Ｋ４０が形成されているので、差込みフラップ７４における切欠部Ｋ２内に露出した部分と左フラップ６４間には間隔が形成され（つまり、差込みフラップ７４の右側面側の面と左フラップ６４の左側面側の面との間に間隔が形成される）、差込みフラップ７４を指で押す際に押し操作が容易となる。
【００７６】
また、切欠部Ｋ１は、右側面部４５の上端から下方にいくに従い正面側に湾曲する扇状を呈し、同様に、切欠部Ｋ２は、左側面部５５の上端から下方にいくに従い正面側に湾曲する扇状を呈しているので、差込みフラップ７２、７４を押し操作する際に、押し操作する指が切欠部Ｋ１、Ｋ２の縁部に接触しないようにすることができる。
【００７７】
その後は、上面部６０を折れ線Ｓ２を中心に背面側に回動させることにより、蓋部５Ｂが開状態とされる。
【００７８】
以上のように、本実施例の包装箱５によれば、蓋部５Ｂが閉状態でロックされている状態で、切欠部Ｋ１、Ｋ２内に露出した差込みフラップ７２、７４の上端を押すことにより、前フラップ７０と正面側面部２０間に隙間が形成され、前フラップ７０の下端に指をひっかけて前フラップ７０を回動させることにより、差込みフラップ７２、７４を被差込み部４７、５７から離脱させることができるので、蓋部５Ｂ（特に、上面部６０）を開状態にするのを容易に行なうことができる。
【００７９】
なお、上記の説明において、切欠部Ｋ１、Ｋ２は扇状であるとしたが、差込みフラップ７２の辺部７２ｂの一部や差込みフラップ７４の辺部７４ｂの一部を露出させる切欠部であればよく、右側面部４５においては、右側面部４５の展開状態において、右外側面部４０から帯状部４２を経て右内側面部４４に至る左右対称形状の開口部であり、左側面部５５においては、左側面部５５の展開状態において、左外側面部５０から帯状部５２を経て左内側面部５４に至る左右対称形状の開口部であればよい。例えば、右側面部４５や左側面部５５に形成される開口部が、長方形状や円形であってもよく、それらの形状の開口部により切欠部Ｋ１、Ｋ２を形成してもよい。
【００８０】
なお、上記の説明において、右側面部４５において、右外側面部４０と右内側面部４４の間に帯状部４２が設けられ、左側面部５５において、左外側面部５０と左内側面部５４の間に帯状部５２が設けられているとしたが、帯状部４２と帯状部５２の構成を省略してもよい。すなわち、右側面部４５においては、右外側面部４０の底面部１０とは反対側の辺部から折れ線を介して右内側面部４４が連設され、左側面部５５においては、左外側面部５０の底面部１０とは反対側の辺部から折れ線を介して左内側面部５４が連接された構成となる。つまり、右側面部４５において、右内側面部４４は、右外側面部４０の底面部１０とは反対側の辺部から連設され、左側面部５５において、左内側面部５４は、左外側面部５０の底面部１０とは反対側の辺部から連設される。包装箱５の展開状態において、開口部Ｋ１０は、帯状部４２が設けられないことから当然正面側帯状部４２−１と背面側帯状部４２−２間の領域を含まないので、切欠部Ｋ１１と切欠部Ｋ１２とから構成され、開口部Ｋ３０も同様に、帯状部５２が設けられないことから当然正面側帯状部５２−１と背面側帯状部５２−２間の領域を含まないので、切欠部Ｋ３１と切欠部Ｋ３２とから構成される。
【符号の説明】
【００８１】
５  包装箱
１０  底面部
１２、１４、１６、１８  スリット
２０  正面側面部
２２、２４、３２、３４  折曲げ片
３０  背面側面部
４０  右外側面部
４２、５２  帯状部
４２−１、５２−１  正面側帯状部
４２−２、５２−２  背面側帯状部
４４  右内側面部
４５  右側面部
５０  左外側面部
５４  左内側面部
５５  左側面部
６０  上面部
６２  右フラップ
６４  左フラップ
７０  前フラップ
７２、７４  差込みフラップ
Ｋ１、Ｋ２、Ｋ１１、Ｋ１２、Ｋ２０、Ｋ３１、Ｋ３２、Ｋ４０  切欠部
Ｋ１０、Ｋ３０  開口部
【図１】
2014177294.tif 000003
【図２】
2014177294.tif 000004
【図３】
2014177294.tif 000005
【図４】
2014177294.tif 000006
【図５】
2014177294.tif 000007
【図６】
2014177294.tif 000008
【図７】
2014177294.tif 000009
【図８】
2014177294.tif 000010
【図９】
2014177294.tif 000011
【図１０】
2014177294.tif 000012
【図１１】
2014177294.tif 000013
【図１２】
2014177294.tif 000014
【図１３】
2014177294.tif 000015
【図１４】
2014177294.tif 000016